Podtech/llm-jp-corpus-v4-ja_patent huggingface dataset:
(57)【要約】【課題】  ローマンシェード等の幕体を昇降させる日射遮蔽装置において、装飾性のある意匠を幕体に付与する。【解決手段】  幕体を昇降させる日射遮蔽装置において、幕体の前面に１列以上の水平方向に延長する袋部を設け、その袋部の内部に芯部材を挿入し、その袋部の外部に外被部材を外嵌する。幕体前面に設ける袋部は、幕体の生地自体を筒状に逢着又は接着して形成するか、又は幕体の前面に別生地を筒状に逢着又は接着して形成する。芯部材は中実棒材又は管材とする。外被部材は、割りスリーブ状管材であり、素材、外面の形状及び色彩については、多種多様なものを用意する。【選択図】      図１
2006271741.tif 000002
【特許請求の範囲】
【請求項１】
幕体を昇降させる日射遮蔽装置において、幕体の前面に１列以上の水平方向に延長する袋部を設け、その袋部の内部に芯部材を挿入し、その袋部の外部に外被部材を被せることを特徴とする日射遮蔽装置の幕体。
【請求項２】
幕体前面に設ける袋部は、幕体の生地自体を筒状に逢着又は接着して形成するか、又は幕体の前面に別生地を筒状に逢着又は接着して形成することを特徴とする請求項１に記載の日射遮蔽装置の幕体。
【請求項３】
芯部材は中実棒材又は管材であり、外被部材は、割りスリーブ状管材であることを特徴とする請求項１又は２に記載の日射遮蔽装置の幕体。
【発明の詳細な説明】
【技術分野】
【０００１】
本発明は、ローマンシェード等の幕体を昇降させる日射遮蔽装置の幕体に関する。
【背景技術】
【０００２】
ローマンシェード等の幕体を昇降させる日射遮蔽装置において、平旦な生地からなる幕体の意匠性を向上するため、幕体の片面に複数の水平方向に延長する袋部を設け、その袋部に芯部材を挿入し、幕体前面に横段模様を形成することは周知である。しかし、この袋部と芯部材による横段模様は表面が幕体の共生地であるため、意匠としては、装飾性に乏しいという問題があった。
【特許文献１】実開昭５８−１７８９８８号公報
【発明の開示】
【発明が解決しようとする課題】
【０００３】
本発明は、この問題を解決するためになされたものであり、その課題は、ローマンシェード等の幕体を昇降させる日射遮蔽装置において、装飾性のある意匠を幕体に付与することにある。
【課題を解決するための手段】
【０００４】
前記課題を達成するため、本発明が採用する手段は、幕体を昇降させる日射遮蔽装置において、幕体の前面に１列以上の水平方向に延長する袋部を設け、その袋部の内部に芯部材を挿入し、その袋部の外部に外被部材を外嵌することを特徴とする。
【発明の効果】
【０００５】
本発明は、上記手段により、日射遮蔽装置の幕体前面において、芯部材に補強されて幕体の平面生地から膨出する外被部材が立体的装飾性の横段模様を形成するから、幕体前面の意匠性は格段に向上する。
【発明を実施するための最良の形態】
【０００６】
幕体前面に設ける袋部は、幕体の生地自体を筒状に逢着又は接着して形成するか、又は幕体の前面に別生地を筒状に逢着又は接着して形成する。芯部材は中実棒材又は管材とする。外被部材は、割りスリーブ状管材であり、素材、外面の形状及び色彩については、多種多様なものを用意する。
【実施例】
【０００７】
本発明を図面に示す実施例に基づいて説明する。図１及び図２は、本発明実施例の幕体の要部を示す斜視図及び分解図、図３及び図４は、別の実施例の図１及び図２に相当する図である。
【０００８】
図１及び図２に示すように、ローマンシェードの幕体１は、前面に１列以上の左右に延長する袋部２を備える。袋部２は幕体１の生地自体を部分的に筒状に逢着して形成したものである。袋部２の内部には芯部材３を挿通する。芯部材３は管材であり、長さは幕体１の左右幅とほぼ同じである。芯部材２を通した袋部１に外被部材４を被せる。
【０００９】
外被部材４は割りスリーブ状管材であり、素材、外面の形状及び色彩が異なる多種多様なものが用意されている。柔らかい軟質合成樹脂製の外被部材は、弾性変形により、袋部の外周面に被せて取り付けることができる。硬質合成樹脂製又は金属製の外被部材は、袋部の端面から左右方向に滑らせて袋部に被せる。袋部２に被せた外被部材４は、幕体１の生地とは素材及び色彩が異なり、平坦な表面から芯部材３に補強されて平面生地から膨出する立体的装飾性の横段模様を形成する。
【００１０】
外被部材４を袋部２から外し、ついで袋部２内の芯部材３を引き抜くと、幕体１の生地をクリーニングすることができる。
【００１１】
図３及び図４に示す別の実施例において、幕体１ａの前面に列設する袋部２ａは、別生地を折り重ねて幕体１ａの生地に逢着又は接着したものである。これ以外の構成及び効果は前記実施例と同じであり、袋部２ａの内部には芯部材３を挿通し、袋部２ａの外部には外被部材４ａを被せる。
【図面の簡単な説明】
【００１２】
【図１】本発明実施例の幕体の要部を示す斜視図、
【図２】図１の幕体の分解図、
【図３】別の実施例の図１に相当する図、
【図４】別の実施例の図２に相当する図。
【符号の説明】
【００１３】
１、１ａ：幕体
２、２ａ：袋部
３、３ａ：芯部材
４、４ａ：外被部材
【図１】
2006271741.tif 000003
【図２】
2006271741.tif 000004
【図３】
2006271741.tif 000005
【図４】
2006271741.tif 000006
(57)【要約】      【課題】  簡単に毛髪を巻き込み、カ−ルをつくる事を提供する。      【解決手段】  パ−マロットを手で巻いていたのを、この機械を使って、巻けば簡単に巻くことが容易にできる。      【選択図】    図１
2006271660.tif 000002
【特許請求の範囲】
【請求項１】
ロットゲージを回転して、スポ−クホイルに取り付けている磁石の磁気の反発によって、しぼんでいるスポークの軌跡を可変。
【請求項２】
ピックとスポ−クを使って毛髪を挟み込む。
【発明の詳細な説明】
【技術分野】
【０００１】
本発明は、美容のパ−マを施術する際、ロット巻きに関する。                          
【背景技術】
【０００２】
従来の技術は、パ−マロットを使い、毛髪をロットに巻き付けた後で輪ゴムで、止めることであった。
【発明の開示】
【発明が解決しようとする課題】
【０００３】
パ−マロットを使用するため、重く、輪ゴムで毛髪が押さえつけられる、きれいなウエ−ブが出来ない点である。
【課題を解決するための手段】
【０００４】
パ−マロットを使用せず、輪ゴムを使用しないで毛髪を巻くことが出来、特殊なピンで毛髪を止めるだけで、きれいなカ−ルを作ることが出来る事最も主要な特徴とする。
【発明の効果】
【０００５】
従来の技術は、ロットを何十本も巻くため重く、又輪ゴムで止めるため、毛髪を傷めるのを、無くし、自然なウエ−ブをつくる事が出来、巻いた毛ピンで止めるだけで簡単である。又スポ−クを抜き取ることが出来るから形状違うカ−ルを作ることが出来る。        
【発明を実施するための最良の形態】
【０００６】
毛髪を傷めずきれいなカ−ルを作れる事が、実現した。
【実施例】
【０００７】
ロットゲ−ジ２の位置を回転させて設定する。ピック５とスポ−ク４の間に毛髪を入れ挟み込み、ロール1に取り付けているモーターを回転すると毛髪がスポーク４に巻きつき、巻き込まれる。巻き込まれた毛髪をロットゲージ２の位置を反対に回転させれば、巻きついている毛髪を抜き取り外しが出来る。その後、ピンで毛髪を止める。円形に巻き込まれた毛髪を、変形させることが出来、楕円にも出来き、色々なカールを作り出す事が出来る。    
【図面の簡単な説明】
【０００８】
【図１】本発明のロ−ルの断面図である。
【図２】本発明のロ−ルの横から見た断面図である。
【符号の説明】
【０００９】
１ロ−ル
２ロットゲ−ジ
３スポークホイル
４スポ−ク
５ピック
６ドラム
７支点パネル
８リンク棒
【図１】
2006271660.tif 000003
【図２】
2006271660.tif 000004
(57)【要約】  【課題】簡単な構造で、意匠性に優れるとともに、使用時のみ水飛散防止板を使用でき、普段はスッキリとした外観の洗面化粧台を提供することをその課題とする。【解決手段】洗面ボール１使用時、洗面ボール１の側端縁の上方に水飛散防止板２を配置してなる洗面化粧台３であって、洗面ボール１を使用しない場合には、上記水飛散防止板２がミラーキャビネット４の下部に収容され、左右に分割された水飛散防止板２が水平状態で納まり、手前部に形成される軸部５を、手前方向に夫々開かせ、前記軸部５を中心に水飛散防止板２を下方に回転させることにより、洗面ボール１の側端縁の上方に水飛散防止板２を配置してなる水飛散防止板２付き洗面化粧台。【選択図】図１
2006271558.tif 000002
【特許請求の範囲】
【請求項１】
洗面ボール使用時、洗面ボールの側端縁の上方に水飛散防止板を配置してなる洗面化粧台であって、洗面ボールを使用しない場合には、上記水飛散防止板がミラーキャビネットの下部に収容され、左右に分割された水飛散防止板が水平状態で納まり、手前部に形成される軸部を、手前方向に夫々開かせ、前記軸部を中心に水飛散防止板を下方に回転させることにより、洗面ボールの側端縁の上方に水飛散防止板を配置してなる水飛散防止板付き洗面化粧台。
【発明の詳細な説明】
【技術分野】
【０００１】
本発明は、水飛散防止板付き洗面化粧台に関する。さらに詳しくは、洗面ボール使用時、洗面ボールの側端縁の上方に水飛散防止板を配置してなる洗面化粧台に関する。
【背景技術】
【０００２】
従来、水飛散防止板が取り付けられた洗面化粧台は公知であり、例えば、下記特許文献が知られている。
【特許文献１】実開平５−６０３７７号公報（第１図、第２図）
【発明の開示】
【発明が解決しようとする課題】
【０００３】
しかしながら、上記特許文献記載の技術は、その第１図から明らかなように、洗面ボールの側端縁の奥側に水が飛散するという問題がある。また、水飛散防止板を使用しない場合の納まりが悪いという問題があった。本発明は、このような問題を解決して、簡単な構造で、意匠性に優れるとともに、使用時のみ水飛散防止板を使用でき、普段はスッキリとした外観の洗面化粧台を提供することをその課題とする。
【課題を解決するための手段】
【０００４】
上記課題を解決するために、本発明においては、つぎのような技術的手段を講じている。すなわち、洗面ボール使用時、洗面ボールの側端縁の上方に水飛散防止板を配置してなる洗面化粧台であって、洗面ボールを使用しない場合には、上記水飛散防止板がミラーキャビネットの下部に収容され、左右に分割された水飛散防止板が水平状態で納まり、手前部に形成される軸部を、手前方向に夫々開かせ、前記軸部を中心に水飛散防止板を下方に回転させることにより、洗面ボールの側端縁の上方に水飛散防止板を配置してなるものである。
【発明の効果】
【０００５】
本発明は上記のとおりであり、洗面ボールの側端縁の奥側に水が飛散するということがなく。また、水飛散防止板を使用しない場合の納まりがよく、簡単な構造で、意匠性に優れるとともに、使用時のみ水飛散防止板を使用でき、普段はスッキリとした外観の洗面化粧台を提供できる。
【発明を実施するための最良の形態】
【０００６】
以下、本発明の実施形態について図面を参照して、詳細に説明する。図１は、本発明にかかる水飛散防止板付き洗面化粧台を示す斜視図であり（ａ）はミラーキャビネットに納まった状態を示す斜視図で、（ｂ）は使用状態を示す斜視図である。図２は、図１における軸部と水飛散防止板部を示し、（ａ）は平面図で、（ｂ）は正面図である。
【０００７】
図１、図２からよくわかるように、洗面ボール１使用時、洗面ボール１の側端縁の上方に水飛散防止板２を配置してなる洗面化粧台３であって、洗面ボール１を使用しない場合には、上記水飛散防止板２がミラーキャビネット４の下部に収容され、左右に分割された水飛散防止板２が水平状態で納まり、手前部に形成される軸部５を、手前方向に夫々開かせ、前記軸部５を中心に水飛散防止板２を下方に回転させることにより、洗面ボール１の側端縁の上方に水飛散防止板２を配置してなる水飛散防止板２付き洗面化粧台。
【０００８】
洗面化粧台のミラーキャビネット下部に収納式の水飛散防止板を設け、洗顔や洗髪の時に前に引き出して水飛散防止板とする。前後方向の回転軸を設け、上下方向の回転軸を設ける。
【０００９】
本発明は上記のとおりであり、洗面ボールの側端縁の奥側に水が飛散するということがなく。また、水飛散防止板を使用しない場合の納まりがよく、簡単な構造で、意匠性に優れるとともに、使用時のみ水飛散防止板を使用でき、普段はスッキリとした外観の洗面化粧台を提供できる。
【図面の簡単な説明】
【００１０】
【図１】本発明にかかる水飛散防止板付き洗面化粧台を示す斜視図であり（ａ）はミラーキャビネットに納まった状態を示す斜視図で、（ｂ）は使用状態を示す斜視図である。
【図２】図１における軸部と水飛散防止板部を示し、（ａ）は平面図（ｂ）は正面図である。
【符号の説明】
【００１１】
１          洗面ボール
２          水飛散防止板
３          洗面化粧台
４          ミラーキャビネット
５          軸部
【図１】
2006271558.tif 000003
【図２】
2006271558.tif 000004
(57)【要約】      （修正有）【課題】患者の状態を視覚的にその状態であることを想定させる図柄で表示するナースコールシステムが従来あるが、患者の状態は手入力で行われていた。本発明は看護予定情報から自動的に患者状態と、患者状態が医療器具を装着状況を報知するナースコールシステムを提供する。【解決手段】患者の状態を視覚的にその状態であることを想定させる図柄で表示するナースコールシステムにおいて、看護予定情報を参照し患者に装着される医療器具の有無と、交換するものであればその交換時期を報知する。【選択図】図１
2006271822.tif 000002
【特許請求の範囲】
【請求項１】
患者の状態を視覚的にその状態であることを想定させる図柄で表示するナースコールシステムにおいて、看護予定情報を参照し前記患者に装着される医療器具の有無と、交換するもので有ればその交換時期を報知することを特徴とするナースコールシステム。
【発明の詳細な説明】
【技術分野】
【０００１】
本発明はナースコールに関わる。
【背景技術】
【０００２】
患者の状態を視覚的にその状態であることを想定させる図柄で表示するナースコールシステムが従来からある。
【特許文献１】特開２００４−３０４５５２
【発明の開示】
【発明が解決しようとする課題】
【０００３】
ところで、従来の例では患者の状態を手入力していた。また装着物の交換時期を報知するものは無かった。  そこで本発明は看護予定情報から自動的に患者に装着される医療器具の有無と、交換するもので有ればその交換時期を報知するナースコールシステムの提供を課題とする。    
【課題を解決するための手段】
【０００４】
患者の状態を視覚的にその状態であることを想定させる図柄で表示するナースコールシステムにおいて、看護予定情報を参照し患者に装着される医療器具の有無と、交換するもので有ればその交換時期を報知することで課題を解決する。    
【発明の効果】
【０００５】
看護予定情報から自動的に患者に装着される医療器具の有無と、交換するもので有ればその交換時期を報知するので利便性が向上した。  
【発明を実施するための最良の形態】
【０００６】
ナースコールコンピュータには入力手段があり、看護予定情報データが入力される。  また、記憶手段も有しており入力された看護予定情報データが入力されている。        
【０００７】
看護予定情報は患者を特定するための情報、例えば氏名や、患者個々に付与される患者番号等と、その患者に何時、何を施すかの情報等からできている。        
【０００８】
ナースコールコンピュータは、患者の状態名と、患者の状態を視覚的にその状態であることを想定させる図柄データとを関連付け記憶させた図柄記憶手段を有している。        
【０００９】
ナースコールコンピュータは、看護予定情報の患者状態名から図柄記憶手段に記憶されている図柄データを読み出し表示手段に表示する。        
【００１０】
さらに、看護予定情報の交換期日データから交換予定日を読み出し、先に表示した図柄の近傍に予定日を表示させる。    
【図面の簡単な説明】
【００１１】
【図１】・・・本発明の構成
【図１】
2006271822.tif 000003
(57)【要約】【課題】  人工呼吸器の近くに居る看護師が警報音を聞き漏らしても確実に看護師に知らせる課題を提供する。【解決手段】  人工呼吸器が検知した動作異常信号をナースコール子機を経由して廊下灯に接続する手段と、廊下灯は人工呼吸器の動作異常信号を受信するとナースコール親機へその情報を送信する手段と、ナースコール親機及びナースコール制御機に連動したＰＨＳでは人工呼吸器の動作異常信号を受信すると、呼び出し音を鳴動すると共に部屋番号ベッド番号と患者名と人工呼吸器異常を知らせる表示を出力する手段を設ける。【選択図】図１
2006271821.tif 000002
【特許請求の範囲】
【請求項１】
複数のナースコール子機が複数の廊下灯を経由してナースコール親機に接続され、前記ナースコール子機からナースコール呼び出しを行うと、前記ナースコール親機を呼び出して親機と子機の間で通話することが出来るナースコール装置において、人工呼吸器からの動作異常信号を前記廊下灯が受け取る手段と、動作異常信号を検出した前記廊下灯は、前記ナースコール親機を呼び出して人工呼吸器の動作異常を報知する手段を備えたことを特徴とするナースコール装置。
【請求項２】
前記人工呼吸器からの動作異常信号を前記ナースコール親機を制御するナースコール制御機に連動しているコードレス主装置に無線機を介して接続しているＰＨＳ（パーソナル・ハンディホン・システム）へ知らせることを特徴としたナースコール装置。
【発明の詳細な説明】
【技術分野】
【０００１】
本発明は、異常を報知するナースコール装置に関する。
【背景技術】
【０００２】
周知の様に、病院や福祉介護施設では主に看護師（福祉介護施設では介護士など）と患者が通話する為のナースコール装置が設置されている。  このナースコール装置では、患者が呼び出しに使用するナースコール子機が各ベッドに備えられ、ナースステーションにはナースコール親機が設置されていて、その間で通話できるようになっている。（特許文献１を参照）
【特許文献１】特許第２８８７５５２号公報
【発明の開示】
【発明が解決しようとする課題】
【０００３】
人工呼吸器は、装置動作の異常や患者が喉を詰まらせたりして正常動作しない場合に、人工呼吸器自体が警報音を発して注意を喚起している。  しかし、看護師が常に人工呼吸器の近くに居るとは限らず、警報音を聞き逃した時処置が遅くなる恐れがある。  本発明は、人工呼吸器の近くに居る看護師が警報音を聞き漏らしても確実に看護師に知らせる課題を提供する。
【課題を解決するための手段】
【０００４】
人工呼吸器が検知した動作異常信号をナースコール子機を経由して廊下灯に接続する手段と、廊下灯は人工呼吸器の動作異常信号を受信するとナースコール親機へその情報を送信する手段と、ナースコール親機及びナースコール制御機に連動したＰＨＳでは人工呼吸器の動作異常信号を受信すると、呼び出し音を鳴動すると共に部屋番号ベッド番号と患者名と人工呼吸器異常を知らせる表示を出力する手段を設ける。
【発明の効果】
【０００５】
人工呼吸器が動作異常で警報音を発した場合、担当の看護師が警報音を聞き漏らしても多くの看護師にナースコール呼び出しで警報を知らせることで、対応が遅くなることを防止できる。
【発明を実施するための最良の形態】
【０００６】
以下、本発明の一実施例を図面に基づいて説明する。
図１は、ナースコール装置全体の構成を示す。ナースセンタにはナースコール親機（１）とナースコール制御機（２）とコードレス主装置（３）が設置され、各病室の入り口近傍には廊下灯（５）が設置され、通信線（４）でナースコール制御機（２）と接続している。
【０００７】
各病室のベッドの壁にはナースコール子機（６）が有り、患者がナースコール呼び出しの為に用いる握り押しボタン（７）と人工呼吸器（８）がナースコール子機（６）と接続している。
図示はしていないが、ハンド型子機は呼び出しボタンの他に通話できる機能を持つ子機である。
【０００８】
コードレス主装置（３）からは、各病室の廊下に設置される無線機（９）が接続され、さらにＰＨＳ（パーソナル・ハンディホン・システム）  （１０）と無線で接続される。
【０００９】
人工呼吸器（８）が、装置の異常または患者が喉を詰まらせて正常に動作しない状態を検出すると、
警報音を発するが、その異常信号を外部に取り出し、ナースコール子機（６）に接続する。
【００１０】
人工呼吸器（８）の異常信号は、ナースコール子機（６）を経由して廊下灯（５）へ入力され、廊下灯（５）は、異常信号を検知すると通信線（４）を介してナースコール制御機（２）へその情報を送る。    
【００１１】
ナースコール制御機（２）が人工呼吸器（８）の異常信号を受け取ると、部屋番号、ベッド番号及び患者情報を付加してナースコール親機（１）及びＰＨＳ（１０）へ送る。
【００１２】
ナースコール親機（１）及びＰＨＳ（１０）では、呼び出し音を鳴動して看護師に人工呼吸器の異常を知らせる。  ナースコール親機（１）またはＰＨＳ（１０）で看護師が呼び出しに応答すると、各表示部には部屋番号、ベッド番号、患者情報と人工呼吸器の異常を表示する。
【図面の簡単な説明】
【００１３】
【図１】ナースコール装置の全体構成
【符号の説明】
【００１４】
1.           
ナースコール親機
2.           
ナースコール制御機
3.           
コードレス主装置
4.           
通信線
5.           
廊下灯
6.           
ナースコール子機
7.           
握り押しボタン
8.           
人工呼吸器
9.           
無線機
10.    ＰＨＳ（パーソナル・ハンディホン・システム）
【図１】
2006271821.tif 000003
(57)【要約】【課題】本発明は、観測者が患者や心電計のそばにいなくても測定データを見る方法の提案を課題とする。【解決手段】生体モニタ機器が接続されるネットワークと、前記ネットワークと無線で接続される携帯端末と、前記生体モニタが異常を検出すると検出データを前記ネットワークに配信し、配信された検出データを前記携帯端末で確認する。【選択図】図１
2006271820.tif 000002
【特許請求の範囲】
【請求項１】
生体モニタ機器が接続されるネットワークと、前記ネットワークと無線で接続される携帯端末と、前記生体モニタが異常を検出すると検出データを前記ネットワークに配信し、配信された検出データを前記携帯端末で確認する生体監視方法。
【発明の詳細な説明】
【技術分野】
【０００１】
生体監視の方法に関する
【背景技術】
【０００２】
例えば心電計を装着して心臓の動きを監視する場合、心電計は患者近傍にあり、観測者もそこにいなくてはならなかった。  
【特許文献１】特開２００１−３３８０５９  公開公報
【発明の開示】
【発明が解決しようとする課題】
【０００３】
本発明は、観測者が患者や心電計のそばにいなくても測定データを見る方法の提案を課題とする。    
【課題を解決するための手段】
【０００４】
生体モニタ機器が接続されるネットワークと、前記ネットワークと無線で接続される携帯端末と、前記生体モニタが異常を検出すると検出データを前記ネットワークに配信し、配信された検出データを前記携帯端末で確認する。    
【発明の効果】
【０００５】
携帯端末で確認できるので、無駄な移動が不要になった。  
【発明を実施するための最良の形態】
【０００６】
生体モニタ機器はネットワークインターフェースを有しており、異常を検出すると、このインターフェースを介して、測定データをネットワークに配信する。        
【０００７】
ネットワークには無線ブリッジ等の無線接続手段を接続しておく。        
【０００８】
観測者は携帯端末を所持しており、この携帯端末にも無線接続手段があり、ネットワーク側の無線接続手段と通信を行う。        
【０００９】
ネットワークに配信された測定データは、この無線通信で携帯端末に届く。        
【００１０】
携帯端末には画像表示ソフトが予めインストールされており、この画像表示ソフトで測定データを見ることができる。    
【図面の簡単な説明】
【００１１】
【図１】・・・本発明の構成図
【符号の説明】
【００１２】
１  被測定者（患者）          ２  ベッド          ３  生体モニタ機器（心電計など）          ４  ネットワーク（一部）          ５  無線接続手段（無線ブリッジ）          ６  携帯端末（ＰＤＡなど）
【図１】
2006271820.tif 000003
(57)【要約】      （修正有）【課題】かに味の蒲鉾によってししゃも卵をロール状に包み込んだ蒲鉾で、調和のとれた新しい食感と旨味を同時に味わうことができる蒲鉾の提供。【解決手段】ししゃも卵と魚肉すり身を練り合わせたもの１を芯部として、かに味の蒲鉾２材料を外部としてロール状に成形し、蒸気加熱して蒲鉾とする。【選択図】図２
2006271362.tif 000002
【特許請求の範囲】
【請求項１】
ししゃも卵とかに味を加えた蒲鉾
【発明の詳細な説明】
【技術分野】
【０００１】  本発明は，ししゃも卵とかに味を加えた蒲鉾に関するものである。
【背景技術】
【０００２】  従来はししゃも卵を主体とした蒲鉾として、また、かに味の蒲鉾として個々に食されていた。
【発明の開示】
【発明が解決しようとする課題】
【０００３】  本発明は従来のかに味の蒲鉾とししゃも卵を組み合わせることにより調和のとれた新しい食感と旨味を同時に味わうことができる。
【課題を解決するための手段】
【０００４】  課題を解決するために、その製法を順に説明すれば
（１）  材料の魚肉すり身を中心に、澱粉、調味料、保存料などを入れ練り合わせ、ししゃも卵を混合する。
（２）  （１）を芯として回りをかに味の蒲鉾でロール状に包み込む。
（３）  ロール状に成形したものを蒸気加熱し、適切なサイズに切断し完成する。
【発明の効果】
【０００５】  かに味の蒲鉾でししゃも卵を包み込み、ロール状にすることにより調和のとれた新しい食感と旨味を同時に味わうことができる珍味食品ができた。
【図面の簡単な説明】
【図１】  本発明の工程図
【図２】  本発明の斜視図
【符号の説明】
【０００６】  １  ししゃも卵と魚肉すり身を混合したもの
２  かに味の蒲鉾
【図１】
2006271362.tif 000003
【図２】
2006271362.tif 000004
(57)【要約】      （修正有）【課題】簡単に取り付け作業ができて、しかも、シーズン終了後の片付け収納作業に手間がかからない朝顔の生育補助用品を提供すること。【解決手段】簾の上桟と下桟に相当する所定の長さの２本の支柱２に、軒などに固定するための孔３と、紐や糸状の縦部材５を通して固着するための孔４をあけ、該支柱２本を一組として、所定の長さの紐や糸状の縦部材の両端を前記支柱の孔に通して固着し、簾の縦糸に相当するものとする。そして、紐や糸状の縦部材に、簾の横骨に相当する横部材６を所定間隔で、交点固定部材７によって結束して、縦と横の部材の間隔を疎にした、簾に似た構造の朝顔の生育補助用品を得る。【選択図】図１
2006271364.tif 000002
【特許請求の範囲】
【請求項１】
朝顔の蔓が巻きつきながら生育するのに必要かつ十分な、縦と横の部材の間隔を疎にした、簾に似た構造の朝顔の生育補助用品
【発明の詳細な説明】
【発明の詳細な説明】
【技術分野】
【０００１】  この発明は園芸用品に関し、詳しくは朝顔の生育補助用品に関するものである。
【背景技術】
【０００２】  朝顔で日差しを遮断することによる、夏の省エネ対策が実績をあげてきており、朝顔を栽培して日除けにする人が増えていて、官公庁、企業も積極的に採用するようになってきている。従来、朝顔の栽培には蔓を伸ばすための朝顔の生育補助用品として、縄や紐を張ったり、キュウリ・ササゲなどの蔓性植物栽培用の、市販の支柱やネットを使用した各種の形態のものが提供されている（例えば特許文献１参照。）。いづれの場合も、朝顔の生育補助用品を設置するための組み立て取り付け作業は大変手間がかかる。また、シーズン終了後の片付け収納作業は、組み立て取り付け作業以上に大変手間がかかがあり、絡みついた、枯れた蔓とネットをごみとして捨ててしまう人が多いという問題があった。【０００３】
【特許文献１】特許公開平８−２１４７０９
【発明の開示】
【発明が解決しようとする課題】
【０００４】  本発明の課題は、簡単に取り付け作業ができて、しかも、シーズン終了後の片付け収納作業に手間がかからない朝顔の生育補助用品を提供することにある。
【課題を解決するための手段】
【０００５】  本発明は、上記した問題を鑑みて、日陰をつくり風通しをよくする簾の構造と取り付け作業に着眼してなされたものである。簾の製造は、筵などの藁工品や織物の技術と同じで、縦糸の間に竹ひごや薄、ストロー状のプラスチックなどの部材を横骨に織り込んだ構造であるが、簾は縦糸の間隔および横骨の間隔が密である。そこで、朝顔の蔓が巻きつきながら生育するのに必要かつ十分な、縦と横の部材の間隔を疎にした、簾に似た構造の朝顔の生育補助用品を提供すれば、上記課題を解決することができる。【０００６】  簾に似た構造の朝顔の生育補助用品を具現化するには、簾の製造工程において、朝顔の蔓が巻きつきながら生育するのに必要かつ十分な、縦と横の部材の間隔を疎にした構造となるように調整して製造すればよい。【０００７】  また、簾に似た朝顔の生育補助用品を具現化する他の方法としては、簾の上桟、下桟に相当する、竹や木などの部材による所定の支柱の所定の位置に、所定の数の、朝顔の生育補助用品を軒などに固定する孔をあける。さらに、簾の上桟、下桟に相当する、竹や木などの部材による所定の支柱の所定の位置に、所定の数の、紐や糸状の部材を通して固着する孔をあけ、該支柱一組を二本として、一の支柱の、紐や糸状の部材を通す孔に、所定の長さの、紐や糸状の部材の一端を通して固着し、二の支柱の紐や糸状の部材を通す孔に、その長さの、紐や糸状の部材の他の端を通して固着し、同様に、他の所定の位置にあけた所定の数の、相対する孔と孔を、それぞれ紐や糸状の部材で連結して、簾の縦糸に相当するものとする。【０００８】  そして、簾の縦糸に相当する紐や糸状の部材に、横骨として、竹ひごや薄、ストロー状のプラスチックなどの部材を所定の間隔で、結束などの接続手段で取り付けるか、或いは、簾の横骨に相当するものとして、所定の長さの紐や糸状の部材を、それぞれ結合して、所定の間隔のネット状に形成する。【０００９】  また、あらかじめ、所定の長さの紐や糸状の部材を、所定の間隔のネット状に形成し、相対する孔と孔をそれぞれ連結してもよい。【０００１０】  朝顔の生育補助用品の取り付け作業は、簾を吊す要領でよい。即ち、朝顔の生育補助用品を軒などに固定する孔に対応する位置に、釘・タッピンねじなどを軒などに取り付け、所定の支柱の一方を固定し、他方の下部の支柱の重さで静かに降ろし、下部の支柱を朝顔の苗に対応させた位置に、杭に縛るなどの固定手段で固定すればよい。【０００１１】  また、シーズン終了後は、上部にクルクルと巻いて紐・針金などで縛って、軒などに固定しておけば片付け収納作業は終わるので、上記の課題を解決することができる。
【発明の効果】
【０００１２】  本発明は以上のように、簡単に取り付け作業ができて、しかもシーズン終了後の片付け収納作業に手間がからない、朝顔の生育補助用品を提供することができるとともに、翌年はその紐・針金を取り外すだけで朝顔の生育補助用品の取り付け作業をすることができるという特長があり、朝顔の栽培が誰でも手軽にできるので、夏の省エネに貢献できるという効果が期待できる
【発明を実施するための最良の形態】
【０００１３】  次に、本発明に係る朝顔の生育補助用品の実施形態を図面に基づき説明する。
【実施例１】
【０００１４】  図１に示すように、本実施例に係る朝顔の生育補助用品１は、所定の長さの２本の支柱２と所定の長さの９本の、紐や糸状の縦部材５と、所定の長さの９本の横部材６から構成されている。支柱には、所定の位置に、朝顔の生育補助用品を軒などに固定する孔３と、所定の位置に、紐や糸状の縦部材５を通して固着する孔４があけてある。紐や糸状の縦部材５は、図１に示すように、２本の支柱の、紐や糸状の縦部材５を通して固着する孔４に固着してあり、紐や糸状の縦部材５の所定の位置に、横部材６を交点固定部材７によって結束してある。
【図面の簡単な説明】
【０００１５】
【図１】本発明に係る朝顔の生育補助用品の一実施例を示す平面図である。
【符号の説明】
【０００１６】  １：朝顔の生育補助用品
２：支柱
３：朝顔の生育補助用品を軒などに固定する孔
４：紐や糸状の縦部材を通して固着する孔
５：紐や糸状の縦部材
６：横部材
７：交点固定部材
【図１】
2006271364.tif 000003
(57)【要約】【課題】乾燥した杉の葉、雄花、生の杉の葉、雄花を原料とした茶の製造【解決手段】杉の葉、雄花を主体に焙煎又は、水と混合し沸騰させお茶を製造する。このお茶は健康茶として、また花粉症に対して飲用することができる。【特許請求の範囲】
【請求項１】
乾燥した杉の葉、雄花を焙煎
【請求項２】
乾燥した杉の葉、雄花を水と混合沸騰
【請求項３】
生の杉の葉、雄花を水と混合沸騰
【発明の詳細な説明】
【技術分野】本発明は、乾燥させた杉の葉と雄花、また生の杉の葉と雄花を焙煎、または水と混合し沸騰させお茶を製造する。
【発明の効果】
食品として広く有効活用できる。
花粉症対策としての健康茶
(57)【要約】      （修正有）【課題】棒表面に適度の硬度があって、掛けた麺の負荷により適度な撓みをなし、且つ麺の負荷が取れたときに直線状に復元する弾性を有する、麺製造装置に用いる麺掛け棒を提供する。【解決手段】両端をテーパー状に形成したＦＲＰ棒１をステンレス管２に嵌装し、しかる後其のテーパー６に沿って前記ステンレス管２を絞り加工したことを特徴とし、軽くて弾力があり、表面硬度が高く、耐久性があって衛生的な、麺製造装置に用いる麺掛け棒。【選択図】図３
2006271373.tif 000002
【特許請求の範囲】
【請求項１】
両端をテーパーに形成したＦＲＰ棒をステンレス管に嵌装し、其のテーパーに沿ってステンレス管両端部を絞り加工したことを特徴とする麺類製造装置に用いる麺掛棒。
【発明の詳細な説明】
【技術分野】
【０００１】本発明は、うどん、冷麦、素麺などの麺類製造装置において、ひも状の麺を懸架して製麺機の各工程に搬送したり、ハンガーに掛けて麺をぶら下げる為の棒に関するものである。【０００２】従来はステンレスのパイプや樹脂棒を用いていたが、棒表面に適度の硬度があって、掛けた麺の負荷により適度な撓みをなし、且つ麺の負荷が取れたときに直線状に復元する弾性を有する物は無かった。【０００３】  それに対し本発明の物は、両端３をテーパー６に形成したＦＲＰ棒１をステンレス管２に嵌装し、しかる後前記テーパー６に沿って管を絞り加工し、更に端面４でステンレス管端部を棒の中心に向けて折り返した形状の物で、そのテーパー部から連続した側面の折り返し部分５で、内部に嵌装したＦＲＰ棒を両側から押さえて包み込み、其のステンレス薄肉管でＦＲＰ棒を強固に一体的に保持した物である。しかもテーパー部と管には異質な境界線は無くステンレスがＦＲＰ棒全体を包んで保護した形状により、統一した外観を呈し、美しさ、清潔さを際だたせる効果を有する。【０００４】本発明はＦＲＰ棒の表面をステンレス薄肉管で覆ったもので、ＦＲＰ棒の特徴であるところの、バネのような弾力があって、しかも負荷を除くと元のような直線に復元する特徴と、表面を覆ったステンレスで、ＦＲＰ棒に含有するガラス繊維などの不純物が食品に混入することを防止したもので、軽くて弾力がありしかも表面硬度の高い麺掛け棒となった。更に本願の物はステンレス薄肉管の内部はＦＲＰ材で充満されている為、外圧あるいは表面の引っかき負荷に対する耐久性に優れ長年の過酷な使用にも耐え、外観に凹みなどの発生がなく、美しさ、清潔さを永年にわたって保つことを可能にした発明である。
【図面の簡単な説明】
【０００５】
【図１】本発明の正面断面図
【図２】本発明の正面図
【図３】本発明の端部の部分断面図
【符号の説明】
１・・・ＦＲＰ棒  ２・・・ステンレス管
【図１】
2006271373.tif 000003
【図２】
2006271373.tif 000004
【図３】
2006271373.tif 000005
(57)【要約】【課題】  稲の生育の過程でその水田中に生える雑草を取り除くとする、回転歯付き水田中耕除草機を提供する。【解決手段】  水田中耕除草機本体の回転機構部、後部回転体に片歯平板棒と爪とを固定して回転させて雑草を取り除くことを特徴とする回転歯付き水田中耕除草機。【選択図】  図２
2006271354.tif 000002
【特許請求の範囲】
【請求項１】
水田中耕除草機本体と、この水田中耕除草機本体の回転機構部に取り付けられ水田を耕す回転除草体とよりなり、
水田中耕除草機本体の回転機構部は２つの回転体からなり構成され、後部回転体は、並列に設けられた支持板と、この支持板先端を屈折させて形成された爪と、この並列の爪を連結するように固定された連結板と、連結板の回転方向先端辺に設けられた歯とよりなるものであることを特徴とする水田中耕除草機。
【発明の詳細な説明】
【技術分野】
【０００１】    本発明は、稲の生育の過程でその水田中に生える雑草を取り除くとする、水田中耕除草機に関するものである。
【背景技術】
【０００２】    従来、水田中耕除草機は回転機構部、２つの回転体が回ることによって雑草を浮かしたり、土の中に押し込んで除草をしていた。
【発明の開示】
【発明が解決しようとする課題】
【０００３】    そのために、次のような問題点があった。
（イ）回転することによって爪が短く小さな雑草は押し込むが大きな雑草、特にヒエはまた起きあがって、その後を人の手でヒエ取りをしていた。
（ロ）回転する爪と爪との間にすき間があり、その間の部分は雑草はそのまま残っていた。
本発明は、これらの問題点を解決するためになされたものである。
【課題を解決するための手段】
【０００４】    水田中耕除草機本体の回転機構部、２つの回転体後部の回転体に並列に設けられた支持板と、この支持板先端を屈折させて形成された爪と、この並列の爪を連結するように固定された連結板と、連結板の回転方向先端辺に設けられた歯とよりなるものである。  以上を特徴とする回転歯付き水田中耕除草機である。
【発明の効果】
【０００５】    今までとれなかった雑草、特にヒエが、回転する歯によってその根を切るか巻き上げてくる、そして平板棒によって土をすき間なく反転させるのでより効果的に土の中に雑草を埋め込むことができ田の草を取る人の手を省くことができる。
【発明を実施するための最良の形態】
【０００６】  以下、本発明の実施の形態について説明する。
（イ）水田中耕除草機本体（１）の回転機構部、２つの回転体後部（２丁押の場合は後部回転体２つに）の爪（２）一列すべて（六列）の外側に片歯平板棒（３）を連結させて指の（４）甲（５）より歯（６）を研いだ面を外側に向けて前に出して、なるべく歯（６）から反対側の所に片歯平板棒（３）と爪（２）が固定できるようにドリル（４ｍｍ）で穴をあけてネジ（７）で固定します。
（ロ）片歯平板棒（３）はアルミニューム又はステンレス製で長さは爪（２）の一列の長さによって決まり、幅は１５ｍｍ〜１８ｍｍで、厚さは２ｍｍ以下の製品で歯（６）の角度は鋭角で研ぎます。
（ハ）固定するネジ（７）はステンレス製ですべて、４ｍｍのトラストネジ（７）、座金（８）、六角ナット（９）を使用します。ネジ（７）の個数は爪（２）が五本の時は両端と真ん中に止める、三本、四本の時は全部に止める。
本発明は以上のような構造で、これの使用は回転体が回ることによってまず歯が地面に任意角度であたり、歯が地面にめり込み地中の雑草の根を切るか、根ごと掻き上げたり、片歯平板棒によって土を反転させ小草を土の中に埋め込み除草する。
【図面の簡単な説明】
【０００７】
【図１】    本発明の後部回転体の斜視図
【図２】    本発明の後部回転体の側面図
【図３】    本発明の部品と爪（２）部分の分解図
【符号の説明】
【０００８】      １    水田中耕除草機
２    爪
３    片歯平板棒
４    指
５    甲
６    歯
７    ネジ（トラスト）
８    座金
９    六角ナット
【図１】
2006271354.tif 000003
【図２】
2006271354.tif 000004
【図３】
2006271354.tif 000005
(57)【要約】【課題】  野外材料におけるサルモネラ分離には、最もハーナテトラチオン酸塩培地（ＨＴＴ）が用いられている。この従来の方法では２４時間後の培養、一週間後の遅延二次培養と２回の培養をしなければ、正確な結果が得られないことから、判定までの時間と手間がかかった。そこで、判定までの時間短縮と省力化を課題とした。【解決手段】  リード管の下部には胆汁酸加ペプトン１％寒天が充填してあり、その上にはサルモネラ増菌培地であるＨＴＴが入れられるようになっている。１％寒天培地で居雑物の混入をくい止め、胆汁酸加ペプトンで腸内細菌系の菌を増殖させ、運動性のある細菌すなわちサルモネラ、大腸菌等を１％寒天内を泳がせＨＴＴに導いて、サルモネラを増菌させる。また、培養温度を４１．５℃とすることで大腸菌の運動性が弱くなることが明らかで、１％寒天では通過量は少ないことから、ＨＴＴにおけるサルモネラの増菌はよく、検出率は高くなる。【選択図】  図１
2006271356.tif 000002
【特許請求の範囲】
【請求項１】
リード管の底部に胆汁酸加ペプトン１％寒天培地が充填してあり、その上部にハーナテトラチオン酸塩培地（ＨＴＴ）を入れることが可能としたものである。１％寒天培地により、居雑物がＨＴＴに入らないようにし、また、４１．５℃培養により、大腸菌の運動性は弱まり、１％寒天では通過する大腸菌は少なくなくなることを利用して、サルモネラの検出率を高めたものである。
【発明の詳細な説明】
【技術分野】
【０００１】  本発明は、リード管の下部に胆汁酸加ペプトン１％寒天培地が充填されていて、その上部にはサルモネラ増菌培地であるハーナテトラチオン酸塩培地（ＨＴＴ）が入れられるようになっている。このリード管を材料の中に立てるように入れ、４１．５℃、２４時間培養後、管の上部から１エーゼを取り、サルモネラ選択培地に画線と抹することにより、サルモネラを効率的に分離するための技術に関するものである。
【背景技術】
【０００２】  従来は、ＨＴＴに４１．５℃、２４時間、材料を投入し、１エーゼ取り、選択培地に画線と抹を行いサルモネラを単離する。さらに、一週間、室温保存したＨＴＴを１：９の割にＨＴＴに投入して、４１．５℃、２４時間培養（遅延二次培養法：ＤＳＥ）したものを１エーゼ取り、選択培地に画線と抹を行いサルモネラを単離するという手法であるため判定までの時間と手間がかかった。この方法は一般的なサルモネラの分離として最もよい方法とされ、幅広く利用されている。
【発明の開示】
【発明が解決しようとする課題】
【０００３】  しかし、従来の方法では２４時間培養、一週間後のＤＳＥと２回培養をしなければ、正確な結果が得られないことから、多くの判定までの時間と手間がかかった。そこで、判定までの時間短縮と省力化を課題とした。
【課題を解決するための手段】
【０００４】  上記課題となる原因として、ＨＴＴの２４時間培養の欠点は材料とともに居雑物の混入があるため、ＨＴＴの選択剤の十分な抵抗性を得ることができない。そこで、どうしても一週間後のＤＳＥが必要となっていた。このことから、ＨＴＴと居雑物が混合しなければ１回の培養でサルモネラは分離可能となる。
この解決方法として、１％寒天培地で居雑物の混入をくい止め、胆汁酸加ペプトンで腸内細菌系の菌を増殖させ、運動性のある細菌すなわちサルモネラ、大腸菌等を１％寒天内を泳がせＨＴＴに導いて、サルモネラを増菌させる。また、培養温度を４１．５℃とすることで大腸菌の運動性が弱くなることが明らかとなり、１％寒天では通過量は少ないことから、ＨＴＴにおけるサルモネラの増菌はよく、サルモネラの検出率は高くなる。
【発明の効果】
【０００５】  判定までの時間短縮と省力化を図ることが可能である。
【発明の実施するための最良の形態】
【０００６】  リード管の下部には胆汁酸加ペプトン１％寒天が充填してあり、その上にはサルモネラ増菌培地であるＨＴＴが入れられるようになっている。
【実施例】
【０００７】  サルモネラ分離の検査材料を胆汁酸加ペプトン水を入れ、液状となった状態の検査材料を試験管に入れる。一方、本リード管の胆汁酸加ペプトン１％寒天培地の上部にＨＴＴを入れ、リード管を試験管内に立てるように入れ、試験管に綿栓する。これを４１．５℃、２４時間培養し、リード管の上部から１エーゼ取り、サルモネラ選択培地上に画線培養を行いサルモネラを分離する。
【産業上の利用可能性】
【０００８】  食品、家畜等のサルモネラ汚染を調べるためには、サルモネラ分離は欠かせないもなである。サルモネラ分離は多くの場合、検体数を多くして検査の確実性を求めることが一般的であるため、どうしても検体数は多くなる。本法により、省力化が可能であることと時間的な短縮が可能となることから、産業上利用される。
【図面の簡単な説明】
【０００９】
【図１】  リード管を示した平面図である。
【図２】  リード管を示した断面図である。
【符号の説明】
【００１０】  １  リード管
２  胆汁酸加ペプトン１％寒天培地投入部位
３  ハーナテトラチオン酸塩培地（ＨＴＴ）投入部位
【図１】
2006271356.tif 000003
【図２】
2006271356.tif 000004
(57)【要約】    【課題】  見た目にも食べやすく、臭みのない、身が締まって焼肉にするのに適した豚足の調理方法を提供する。    【解決手段】  外皮が付いたまま毛焼きしてある豚足を長手方向に切り開き、骨と爪を取り除いた後、再度巻き付けて結束し、味付きスープで煮込み、味付けスープに漬けたまま自然冷却する。【選択図】          図１
2006271317.tif 000002
【特許請求の範囲】
【請求項１】
外皮が付いたまま毛焼きしてある豚足を長手方向に切り開き、骨と爪を取り除いた後、再度巻き付けて結束し、味付きスープで煮込み、味付けスープに漬けたまま自然冷却することを特徴とする焼肉材料用豚足の調理方法。
【請求項２】
該味付けスープが、醤油、酒、砂糖、化学調味料、にんにく、生姜、玉葱、および水を含み、該味付けスープで少なくとも４０分間煮込むことを特徴とする請求項１に記載の焼肉材料用豚足の調理方法。
【発明の詳細な説明】
【技術分野】
【０００１】
本発明は、豚足の調理方法に関するものであって、この方法で調理された豚足はスライスして焼肉材料に適している。
【背景技術】
【０００２】
豚肉の料理はきわめて種類が多く、全体に肉質が柔らかいので、調理法による使用部位の幅も広く、ハム、ベーコン、ソーセージなどの加工食品にも用いられる。また、豚骨や豚足は、ラーメンなどのスープのだしとして利用されている。
【０００３】
沖縄の琉球料理は豚に始まり豚に終わるといわれるほどで、豚の頭から足の先、血液に至るまでをすべてをむだなく巧みに調理している。豚肉はすべて皮つきのまま塊で売買され、料理の種類に応じてもとめた部位を、かならず１時間くらいゆでてからそれぞれに調理する。特許文献１には、豚の顔皮の加工方法が記載されている。
【０００４】
特に、豚足は、コラーゲンを多く含む食品として知られている。コラーゲンは、動物の体中にもっとも多く含まれる蛋白質で、体や臓器の形を支える構造材として働き、細胞同士をくっつける接着剤の役割も果たしている。また、細胞の増殖や器官の形成、傷口の治癒促進などにも大きな影響を与えており、コラーゲンが柔軟性を失うとしみやしわが発生したり、関節や骨の痛みの原因になる。そのため、コラーゲンを多く含む豚足は、老化、目疲れ、肌荒れ、美肌に効果がある食べ物として注目されている。
【０００５】
豚足の食べ方としては、骨のついたそのままの形のものを、ゆでて、タレをつけて食べる方法がある。しかし、豚足の形がそのままであることや、骨があり食べづらいこと、臭みがあることなどから、嗜好に合わない人も多い。さらに豚足は、コラーゲンのためにブヨブヨ感があり焼肉として食する風習はないし、そのような食品は存在しない。
【０００６】
【特許文献１】特開平１０−２９５３３１号公報
【発明の開示】
【発明が解決しようとする課題】
【０００７】
本発明は前記の課題を解決するためになされたもので、見た目にも食べやすく、臭みのない、身が締まって焼肉にするのに適した豚足の調理方法を提供することを目的とする。
【課題を解決するための手段】
【０００８】
前記の目的を達成するためになされた、特許請求の範囲の請求項１に記載された発明は、外皮が付いたまま毛焼きしてある豚足を長手方向に切り開き、骨と爪を取り除いた後、再度巻き付けて結束し、味付きスープで煮込み、味付けスープに漬けたまま自然冷却することを特徴とする焼肉材料用豚足の調理方法である。
【０００９】
請求項２に記載された発明は、該味付けスープが、醤油、酒、砂糖、化学調味料、にんにく、生姜、玉葱、および水を含み、該味付けスープで少なくとも４０分間煮込むことを特徴とする請求項１に記載の焼肉材料用豚足の調理方法である。
【発明の効果】
【００１０】
本発明の製造方法で製造された豚足は、豚足の形そのままではないため、見た目に食べやすく、また、味付けスープの調味料により、豚足の臭みが消え、身が締まっており、スライスすれば焼肉として食するのに適したものとなる。
【実施例】
【００１１】
以下、本発明の実施例を詳細に説明するが、本発明の範囲はこれらの実施例に限定されるものではない。
【００１２】
図１は、本発明を適用する焼肉材料用豚足の調理方法の実施例を示している。この図の調理方法の手順にしたがって、以下、説明する。
【００１３】
豚を屠殺して切り離された脚部（豚足部分）は、外皮が付いたままで毛焼きをする。この状態の豚足として市販されているものを用いてもよい。この豚足を茹で、さらに水をかけて洗い爪の間の汚れを落とす。次に、包丁で爪を切り落としてから脚長方向に切り開き、骨を抜き取る。シート状になった豚足を巻いて棒状にし、タコ糸などで縛って結束する。
【００１４】
棒状に結束された豚足を味付けスープで煮込む。味付けスープの内容は、水１．８Ｌ、醤油５４０ｃｃ、酒１８０ｃｃ、砂糖５０ｇ、化学調味料５０ｇ、にんにく５０ｇ、生姜５０ｇ、玉葱のスライス１個の割である。この味付けスープで、豚足１５本を１時間煮込む。煮込みの後、味付けスープに漬けたまま冷ます。
【００１５】
これを取り出して冷蔵庫に保管しておき、食するときに、タコ糸を除いてから５〜１０ｍｍ程度の厚さにスライスし、焼いてたべる。焼かずに食べることもできるし、好みの調味料をつけて食べてもよい。
【図面の簡単な説明】
【００１６】
【図１】本発明を適用する焼肉材料用豚足の調理方法の実施例を示すフローチャート図である。
【図１】
2006271317.tif 000003
(57)【要約】【課題】ソフトコンタクトレンズを収納する際、レンズの表裏がわからなくなることを解決し、必ず本体側にレンズがあるようにすること。【解決手段】レンズ収納時に蓋側に眼球に装着するように貼り付け、薬液（保存・洗浄液）を満たした本体側に蓋毎取り付けると、蓋から突起が出て表裏を表に保ったまま薬液中にレンズが剥がれ落ちる機構を最低３個の部品で構成する。【選択図】図２
2006271913.tif 000002
【特許請求の範囲】
【請求項１】
収納時に蓋側に眼球に装着するように貼り付け、薬液（保存・洗浄液）を満たした本体側に蓋毎取り付けると、自動的に表裏を表に保ったままレンズが薬液中に剥がれ落ちるソフトコンタクトレンズ収納保存用ケース。
【発明の詳細な説明】
【技術分野】
【０００１】本発明はソフトコンタクトレンズケースに関するものであり、蓋に工夫を加えることで裏返ることなく収納し、かつ必ずレンズを本体の薬液中に浸った状態にする技術である。
【背景技術】
【０００２】従来のケースとして特許文献１に倣ったものが一般に広く売られており、これの改良案として特許文献２がある。
【特許文献１】  特開２０００−２８１１６２号公報
【特許文献２】  特開２００２−２３３５４１号公報
【発明の開示】
【発明が解決しようとする課題】
【０００３】近年ソフトコンタクトレンズは薄肉化され裏返り易く、また表裏の判別が付きにくくなっている。従来のケースはレンズを収納するときに表裏がわからなくなるものや、装着面を貼り付けて収納する為に装着面の汚れがそのまま残りクリーニングされない、または蓋か本体側のどちらにレンズが乗っているかわからない等の問題があった。
【課題を解決するための手段】
【０００４】収納時に蓋側に眼球に装着するように貼り付け、薬液（保存・洗浄液）を満たした本体側に蓋毎取り付けると、自動的に表裏を表に保ったまま薬液中に剥がれ落ちるソフトコンタクトレンズ収納保存用ケースの構造を提供する。
【発明の効果】
【０００５】レンズを取り出すときに表裏が明確なため、誤装着が無く、装着面が収納中に薬液に浸っているため清浄な状態でレンズを保つ。【０００６】また、本発明で提供するケースでは、レンズは必ず本体側に置かれている。
【発明を実施するための最良の形態】
【０００７】部品構成の説明。
ケースの部品は次の３点で構成される。蓋（１）、レンズ保持器（２）、本体（３）。蓋は雌ねじが切ってあり（１ａ）このねじ部の内側でレンズ保持器を保持する。また、中央に３次元曲面の形状を持った突起を持ち（１ｂ）この部分がレンズを保持器から剥がす役割を持つ。レンズ保持器は３次元局面状のレンズ装着面を持ち（２ａ）蓋の突起（１ｂ）が突き出てくるため、かつレンズ装着面に空気と薬液を送る為に長手方向に突起（１ｂ）よりも広がった穴をもち（２ｂ）蓋のねじ（１ａ）にレンズ保持器を押し付けるバネ部（２ｃ）を持つ。本体は薬液を満たす器の部分を持ち（３ａ）その縁に蓋と結合する雄ねじを切ってある（３ｂ）。【０００８】使用方法と効果の説明。
あらかじめレンズ保持器がはめ込まれた蓋（４）のレンズ装着面（４ａ）にレンズ（５）を眼球に装着するように装着する。これを薬液（６）が満たされた本体にねじ込んでゆくと本体雄ねじ先端が保持器を押し上げはじめ、さらにねじ込むと蓋の突起がレンズを保持器から剥がし、薬液中にレンズを投下する。レンズは保持器の穴から流れ込む薬液と空気に押されて蓋の突起から剥がれ、薬液中に表裏を表に保ったまま投下される。
【産業上の利用可能性】
【０００９】本発明によるケースは部品構成が簡単であり、組み立て性、部品の量産性も容易であるため、産業上の利用可能性を有する。
【図面の簡単な説明】
【００１０】
【図１】構成部品である蓋（１）、保持器（２）、本体（３）の部品図（断面図）
【図２】使用方法と効果を説明する部品の組み立て図（断面図）
【符号の説明】
１    蓋
２    保持器
３    本体
４    蓋に保持器を取り付けた状態を図示
５    レンズ
６    薬液（保存・洗浄液）
【図１】
2006271913.tif 000003
【図２】
2006271913.tif 000004